(57)【要約】【課題】  皮膚に化粧用クリーム等の塗布剤を塗布する場合に、塗布部分周辺の皮膚の皺を伸ばしながら、化粧用クリーム等の塗布剤を皮膚の奥部まで塗り込むことが容易になし得る塗布用具を提供する。【解決手段】  用具本体２の頂部に皮膚９に押圧する押圧面１１ａが形成され、押圧面１１ａの外周部の周方向に複数の皮膚伸ばし片３が起立状に突設され、複数の皮膚伸ばし片３は押圧面１１ａの周方向に互いに離間しかつ先広がり状に傾斜して押圧面１１ａから突出され、押圧面１１ａを皮膚９に押圧したときに押圧面１１ａの外周部から複数の皮膚伸ばし片３の基部内面に亘って段差のない連続した接当面１７ａが形成されるように、押圧面１１ａの外周縁部に前記複数の皮膚伸ばし片３がそれぞれ薄肉のヒンジ部１４を介して連結されている。【選択図】図１
2012239824.tif 000002
【特許請求の範囲】
【請求項１】
用具本体（２）の頂部に皮膚（９）に押圧する押圧面（１１ａ）が形成され、押圧面（１１ａ）の外周部の周方向に複数の皮膚伸ばし片（３）が起立状に突設され、複数の皮膚伸ばし片（３）は押圧面（１１ａ）の周方向に互いに離間しかつ先広がり状に互いに傾斜して押圧面（１１ａ）から突出され、押圧面（１１ａ）を皮膚（９）に押圧したときに押圧面（１１ａ）の外周部から複数の皮膚伸ばし片（３）の基部内面に亘って段差のない連続した接当面（１７ａ）が形成されるように、押圧面（１１ａ）の外周縁部に前記複数の皮膚伸ばし片（３）がそれぞれ薄肉のヒンジ部（１４）を介して連結されていることを特徴とする塗布用具。
【請求項２】
用具本体（２）は、押圧面（１１ａ）を皮膚（９）に押圧するためのバックアップ部（６）を有する被取付部材（７）に装着可能とされていてバックアップ部（６）に嵌合される筒状の嵌合側壁（１０）と嵌合側壁（１０）の頂部側を閉塞する押圧壁（１１）とが具備され、押圧壁（１１）の表面が前記押圧面（１１ａ）とされ、押圧壁（１１）の裏面が前記バックアップ部（６）が接当する被接当面（１１ｂ）とされていることを特徴とする請求項１に記載の塗布用具。
【請求項３】
嵌合側壁（１０）が塗布剤（４）を収納する容器（２１）の吐出頸部（２２）に嵌合装着されて、容器（２１）が被取付部材（７）とされると共に吐出頸部（２２）が被取付部材（７）のバックアップ部（６）とされ、押圧壁（１１）に吐出頸部（２２）の吐出口（２６）に対応する注出孔（２９）が設けられていることを特徴とする請求項２に記載の塗布用具。
【請求項４】
前記注出孔（２９）は押圧壁（１１）に形成した切り込み（３０）から成る逆止弁構造とされていることを特徴とする請求項３に記載の塗布用具。
【請求項５】
嵌合側壁（１０）の内周に容器（２１）の吐出頸部（２２）に螺合する雌ねじ（４１）が形成されていることを特徴とする請求項２〜４のいずれかに記載の塗布用具。
【請求項６】
押圧面（１１ａ）が凸面状に膨出されていることを特徴とする請求項２〜５のいずれかに記載の塗布用具。
【請求項７】
嵌合側壁（１０）が手持ち可能な柄部材の一端部に嵌合装着されて、柄部材が被取付部材（７）とされ、柄部材の一端部がバックアップ部（６）とされていることを特徴とする請求項２に記載の塗布用具。
【請求項８】
前記嵌合側壁（１０）の頂部外周に、前記ヒンジ部（１４）を形成するための凹溝（１５）が設けられていることを特徴とする請求項２〜７のいずれかに記載の塗布用具。
【請求項９】
用具本体（２）に手持ち可能な柄部材が一体に形成され、柄部材の一端面が前記押圧面（１１ａ）とされていることを特徴とする請求項１に記載の塗布用具。
【請求項１０】
前記複数の皮膚伸ばし片（３）の基部に、前記ヒンジ部（１４）を形成するための凹溝（１５）が形成さていることを特徴とする請求項１〜７又は９のいずれかに記載の塗布用具。
【請求項１１】
前記皮膚伸ばし片（３）の内面に滑り止め用の凸条（３１）が形成されていることを特徴とする請求項１〜１０のいずれかに記載の塗布用具。
【請求項１２】
前記押圧面（１１ａ）にマッサージ用の凸部（３６）が形成されていることを特徴とする請求項１〜１１のいずれかに記載の塗布用具。
【請求項１３】
前記複数の皮膚伸ばし片（３）は周方向に等間隔をおいて３本形成されていることを特徴とする請求項１〜１２のいずれかに記載の塗布用具。
【請求項１４】
前記皮膚伸ばし片（３）の外端部に皮膚（９）を引っかけるための切欠溝（３９）が形成されていることを特徴とする請求項１〜１３のいずれかに記載の塗布用具。
【発明の詳細な説明】
【技術分野】
【０００１】
本発明は、化粧用クリーム等の塗布剤を皮膚の奥部まで塗り込むための塗布用具に関するものである。
【背景技術】
【０００２】
塗布用具により皮膚に化粧用クリーム等の塗布剤を塗布する場合、皮膚の皺を広げるための手と塗布剤を塗り込むための手が必要であった。この方法では必ず両手が必要であり、手間が掛かる、滑るといった問題があり、塗布剤を皮膚の奥部まで塗り込むことが困難であった。
そこで、皮膚引き延ばし手段で皮膚を引き伸ばしながら一定量の薬剤を射出するようにした従来のジェット式注入デバイスとして、皮膚引き伸ばしユニットの本体部外面に、皮膚と係合する複数の指状突起部材を突出したものがあり（例えば引用文献１）、これを使用して化粧用クリーム等の塗布剤を皮膚の奥部まで塗り込むようにすることが考えられる。
【０００３】
また、治療面にある容量の液体を塗布するための従来の拡散器具として、基部の外周部に治療面と係合する弾性変形可能な山形壁を一体に形成したものがあり（例えば引用文献２）、これを使用して化粧用クリーム等の塗布剤を皮膚の奥部まで塗り込むようにすることが考えられる。
【先行技術文献】
【特許文献】
【０００４】
【特許文献１】特表２００７−５１４４８９号公報
【特許文献２】特表２０１０−５１５４９０号公報
【発明の概要】
【発明が解決しようとする課題】
【０００５】
しかし、従来の前者の場合は、複数の指状突起部材が本体部外面の外周端部よりも内方側に突出されており、指状突起部材を皮膚に押し付けて皮膚を引き延ばしたときには、本体部外面に複数の指状突起部材が重合して、本体部外面と指状突起部材の基部との間には大きな段差が生じてしまい、本体部外面から複数の指状突起部材の基部にわたって皮膚に対して略フラットな面で押し当てることができず、この従来のジェット式注入デバイスの皮膚引き延ばし手段部分を塗布用具に使用しても、塗布部分周辺の皮膚の皺を伸ばしながらクリームの塗布剤を皮膚の奥部まで塗り込むことはできなかった。
【０００６】
従来の後者の場合、山形壁は可撓性に富む膜から形成されたものであり、皮膚上に液体を広げる作用をするのみで、これを皮膚に押し当てても皮膚の皺を伸ばすことができず、この拡散器具を使用しても塗布部分周辺の皺を伸ばしながらクリーム等の塗布剤を皮膚の奥部まで塗り込むことはできなかった。
本発明は上記問題点に鑑み、皮膚に化粧用クリーム等の塗布剤を塗布する場合に、塗布部分周辺の皮膚の皺を伸ばしながら、化粧用クリーム等の塗布剤を皮膚の奥部まで塗り込むことが容易になし得る塗布用具を提供することを目的としている。
【課題を解決するための手段】
【０００７】
本発明における課題解決のための具体的手段は、次の通りである。
この技術的課題を解決する本発明の技術的手段は、用具本体２の頂部に皮膚９に押圧する押圧面１１ａが形成され、押圧面１１ａの外周部の周方向に複数の皮膚伸ばし片３が起立状に突設され、複数の皮膚伸ばし片３は押圧面１１ａの周方向に互いに離間しかつ先広がり状に互いに傾斜して押圧面１１ａから突出され、押圧面１１ａを皮膚９に押圧したときに押圧面１１ａの外周部から複数の皮膚伸ばし片３の基部内面に亘って段差のない連続した接当面１７ａが形成されるように、押圧面１１ａの外周縁部に前記複数の皮膚伸ばし片３がそれぞれ薄肉のヒンジ部１４を介して連結されている点にある。
【０００８】
また、本発明の他の技術的手段は、用具本体２は、押圧面１１ａを皮膚９に押圧するためのバックアップ部６を有する被取付部材７に装着可能とされていてバックアップ部６に嵌合される筒状の嵌合側壁１０と嵌合側壁１０の頂部側を閉塞する押圧壁１１とが具備され、押圧壁１１の表面が前記押圧面１１ａとされ、押圧壁１１の裏面が前記バックアップ部６が接当する被接当面１１ｂとされている点にある。
【０００９】
また、本発明の他の技術的手段は、嵌合側壁１０が塗布剤４を収納する容器２１の吐出頸部２２に嵌合装着されて、容器２１が被取付部材７とされると共に吐出頸部２２が被取付部材７のバックアップ部６とされ、押圧壁１１に吐出頸部２２の吐出口２６に対応する注出孔２９が設けられている点にある。
また、本発明の他の技術的手段は、前記注出孔２９は押圧壁１１に形成した切り込み３０から成る逆止弁構造とされている点にある。
【００１０】
また、本発明の他の技術的手段は、嵌合側壁１０の内周に容器２１の吐出頸部２２に螺合する雌ねじ４１が形成されている点にある。
また、本発明の他の技術的手段は、押圧面１１ａが凸面状に膨出されている点にある。
また、本発明の他の技術的手段は、嵌合側壁１０が手持ち可能な柄部材の一端部に嵌合装着されて、柄部材が被取付部材７とされ、柄部材の一端部がバックアップ部６とされている点にある。
【００１１】
また、本発明の他の技術的手段は、前記嵌合側壁１０の頂部外周に、前記ヒンジ部１４を形成するための凹溝１５が設けられている点にある。
また、本発明の他の技術的手段は、用具本体２に手持ち可能な柄部材が一体に形成され、柄部材の一端面が前記押圧面１１ａとされている点にある。
また、本発明の他の技術的手段は、前記複数の皮膚伸ばし片３の基部に、前記ヒンジ部１４を形成するための凹溝１５が形成さている点にある。
【００１２】
また、本発明の他の技術的手段は、前記皮膚伸ばし片３の内面に滑り止め用の凸条３１が形成されている点にある。
また、本発明の他の技術的手段は、前記押圧面１１ａにマッサージ用の凸部３６が形成されている点にある。
また、本発明の他の技術的手段は、前記複数の皮膚伸ばし片３は周方向に等間隔をおいて３本形成されている点にある。
【００１３】
また、本発明の他の技術的手段は、前記皮膚伸ばし片３の外端部に皮膚９を引っかけるための切欠溝３９が形成されている点にある。
【発明の効果】
【００１４】
本発明によれば、押圧面の外周縁部に複数の皮膚伸ばし片がそれぞれ薄肉のヒンジ部を介して連結されており、押圧面を皮膚に押圧したときに押圧面の外周部から複数の皮膚伸ばし片の基部内面に亘って段差のない連続した接当面が形成されるので、皮膚に化粧用クリーム等の塗布剤を塗布する場合に、塗布部分周辺の皮膚の皺を伸ばしながら、化粧用クリーム等の塗布剤を皮膚の奥部まで塗り込むことが容易になし得る。
【図面の簡単な説明】
【００１５】
【図１】本発明の第１実施形態を示す塗布用具の拡大正面断面図で、図１（ａ）は皮膚伸ばし片を皮膚に押圧する前の断面図、図１（ｂ）は皮膚伸ばし片を皮膚に押圧した後の断面図、図１（ｃ）は押圧面を皮膚に押圧した後の断面図である。
【図２】同塗布用具の拡大斜視図である。
【図３】第２実施形態を示す塗布用具の拡大平面図である。
【図４】同塗布用具を容器に装着した状態の拡大正面断面図で、図４（ａ）は塗布剤を押圧面に注出する前の断面図、図４（ａ）は塗布剤を押圧面に注出した後の断面図である。
【図５】第３実施形態を示す塗布用具の拡大斜視図である。
【図６】第４実施形態を示す塗布用具を柄部材に装着した状態の拡大正面断面図である。
【図７】第５実施形態を示す塗布用具を柄部材に装着した状態の拡大正面断面図である。
【図８】第６実施形態を示す塗布用具の拡大斜視図である。
【図９】第７実施形態を示す塗布用具を容器に装着した状態の拡大正面断面図である。
【図１０】第８実施形態を示す塗布用具の拡大正面断面図である。
【発明を実施するための形態】
【００１６】
以下、本発明の実施の形態を図面に基づいて説明する。
図１〜図２は第１実施形態を示している。図１〜図２において、塗布用具１は、化粧用クリームや薬用クリームその他液状又は粉状の化粧品等の塗布剤４を皮膚９に塗布するためのもので、用具本体２と複数の皮膚伸ばし片３とを備え、シリコン樹脂等の弾性を有する比較的柔らかい合成樹脂により一体成形され、用具本体２の頂部に皮膚９に押圧する押圧面１１ａが形成されている。
【００１７】
用具本体２は、押圧面１１ａを皮膚９に押圧するためのバックアップ部６を有する被取付部材７に装着可能とされていて、バックアップ部６に嵌合される円筒状の嵌合側壁１０と嵌合側壁１０の頂部側を閉塞する円板状の押圧壁１１とが具備されている。押圧壁１１の表面が円形の押圧面１１ａとされ、押圧壁１１の裏面がバックアップ部６が接当する被接当面１１ｂとされている。本実施形態の場合、嵌合側壁１０が手持ち可能な柄部材の一端部に嵌合装着されて、柄部材が被取付部材７とされ、柄部材の一端部がバックアップ部６とされている。
【００１８】
嵌合側壁１０の下端部には内方突出した環状の係合部１２が形成され、係合部１２は被取付部材７のバックアップ部６下方の括れ部１３に係合されている。
前記複数の皮膚伸ばし片３は押圧面１１ａの外周部の周方向に起立状に突設され、押圧面１１ａの周方向に互いに離間しかつ先広がり状に互いに傾斜して押圧面１１ａから突出され、本実施形態では、皮膚伸ばし片３は周方向に等間隔をおいて３本形成されている。押圧面１１ａの外周縁部に複数の皮膚伸ばし片３がそれぞれ薄肉のヒンジ部１４を介して連結され、嵌合側壁１０の頂部外周に、ヒンジ部１４を形成するための凹溝１５が環状に形成されている。なお、凹溝１５は嵌合側壁１０の頂部外周に環状に形成されていなくてもよく、複数の皮膚伸ばし片３に対応してそれぞれ別個に形成してもよい。
【００１９】
従って、複数の皮膚伸ばし片３は、互いに独立していてそれぞれヒンジ部１４を介して嵌合側壁１０の頂部及び押圧壁１１の外周縁部に連結されており、複数の皮膚伸ばし片３を皮膚９に押圧したときに、複数の皮膚伸ばし片３はその基端内縁部からそれぞれヒンジ部１４を介して嵌合側壁１０の径外方向に大きく広がり、押圧面１１ａを皮膚９に押圧したときに、図１（ｃ）に示す如く押圧面１１ａから複数の皮膚伸ばし片３の内面に亘って皮膚９に接当する接当面１７ａが形成され、この接当面１７ａは押圧面１１ａ全体から複数の皮膚伸ばし片３の内面全体に亘って段差のない連続した面一なフラット面となる。
【００２０】
前記実施形態では、塗布用具１により皮膚９に化粧用クリーム等の塗布剤４を塗布する場合、図１（ａ）に示す如く塗布剤４の収納容器等から押圧壁１１の押圧面１１ａに塗布剤４を注出した後、図１（ｂ）に示す如く複数の皮膚伸ばし片３を皮膚９に押圧し、さらに図１（ｃ）に示す如く押圧面１１ａを皮膚９に押圧し、この押圧動作を繰り返せばよい。
【００２１】
複数の皮膚伸ばし片３を皮膚９に押圧したときに、複数の皮膚伸ばし片３はその基端内縁部からそれぞれヒンジ部１４を介して嵌合側壁１０の径外方向に大きく広がり、複数の皮膚伸ばし片３で皮膚９を外方に放射状に引っ張って、皮膚９の皺を外側に大きく伸ばし、その後に、押圧面１１ａが皮膚９に押圧して、伸びきった皮膚９の中央部に塗布剤４が塗布され、皮膚９の奥部に塗布剤４をすり込むように浸透させることができる。
【００２２】
従って、皮膚９に化粧用クリーム等の塗布剤４を塗布する場合に、塗布部分周辺の皮膚９の皺を伸ばしながら、化粧用クリーム等の塗布剤４を皮膚９の奥部まで塗り込むことが容易になし得る。また、複数の皮膚伸ばし片３及び押圧面１１ａを皮膚９に押圧して、それらを皮膚９から離間させる動作を繰り返すことにより、皮膚９の奥部へ塗布剤４をすり込むと共に、塗布部分のマッサージ効果が得られる。
【００２３】
図３〜図４は第２実施形態を示している。図３〜図４に示すように、嵌合側壁１０が塗布剤４を収納する容器２１の吐出頸部２２に嵌合装着されて、容器２１が被取付部材７とされると共に吐出頸部２２が被取付部材７のバックアップ部６とされている。ここで、容器２１は化粧用クリームや薬用クリームその他液状又は粉状の化粧品等の塗布剤４を収納する収納容器であり、容器２１の口部２４に中栓２５が嵌合装着され、この中栓２５に吐出口２６を有する吐出頸部２２が上方突設されている。押圧壁１１に吐出頸部２２の吐出口２６に対応する注出孔２９が設けられている。この注出孔２９は押圧壁１１に形成した十字状の切り込み３０から成る逆止弁構造とされている。その他の点は前記第１実施形態と同様の構成である。
【００２４】
この実施形態の場合、前記第１実施形態と同様に塗布部分周辺の皮膚９の皺を伸ばしながら、化粧用クリーム等の塗布剤４を皮膚９の奥部まで塗り込むことが容易になし得る。また、容器２１内から吐出頸部２２の吐出口２６及び押圧壁１１の注出孔２９を通して塗布剤４を押圧面１１ａ上に注出することができ、指等を塗布剤４で汚すこともなくなる。しかも、注出孔２９が逆止弁構造になっているため、押圧面１１ａ上に注出した塗布剤４が逆流して容器２１内に戻るのを防ぐことができ、衛生的である。
【００２５】
図５は第３実施形態を示し、皮膚伸ばし片３の内面に滑り止め用の凸条３１が幅方向に形成され、この滑り止め用の凸条３１は皮膚伸ばし片３の突出方向に間隔をおいて複数設けられている。その他の点は第１実施形態の場合と同様の構成であり、押圧面１１ａを皮膚９に押圧したときに押圧面１１ａから複数の皮膚伸ばし片３の基部内面に亘って段差のない連続した接当面１７ａ（図１（ｃ）参照）が形成される。
【００２６】
この実施形態の場合、滑り止め用の凸条３１によって皮膚９に対して皮膚伸ばし片３が滑るのを防いで皮膚９を放射状により確実に伸ばすことができる。
図６は第４実施形態を示し、押圧壁１１及び押圧面１１ａが凸面状に膨出され、押圧壁１１とバックアップ部６の端面との間に空隙３４が形成されている。その他の点は第１実施形態の場合と同様の構成である。
【００２７】
この実施形態の場合、前記第１実施形態の場合と同様に、複数の皮膚伸ばし片３を皮膚９に押圧したときに、複数の皮膚伸ばし片３は嵌合側壁１０の径外方向に大きく広がり、押圧面１１ａが皮膚９に押圧したときに、押圧面１１ａから複数の皮膚伸ばし片３の内面に亘って皮膚９に接当する接当面１７ａが形成され、この接当面１７ａは押圧面１１ａ全体から複数の皮膚伸ばし片３の内面全体に亘って段差のない連続した面一なフラット面となる。そして、押圧壁１１乃至押圧面１１ａでゆっくりソフトに皮膚９を押圧しながら塗布剤４を塗布することができる。
【００２８】
なお、前記第４実施形態では、押圧壁１１とバックアップ部６の端面との間に空隙３４が形成されているが、これに代え、押圧壁１１を外周から中央部に向かうに従って徐々に肉厚が大きくなるように形成して押圧面１１ａを凸面状に膨出したままで押圧壁１１とバックアップ部６との間の空隙３４をなくするようにしてもよい。この場合には、押圧面１１ａを皮膚９に押圧したときに、押圧面１１ａはある程度凸面状に膨出した状態を保つが、押圧面１１ａの外周部から複数の皮膚伸ばし片３の内面に亘って段差のない連続した接当面１７ａが形成され、押圧面１１ａを皮膚９に押圧する動作を繰り返すことにより、皮膚９の奥部へ塗布剤４をすり込むと共に、塗布部分のマッサージ効果が得られる。
【００２９】
図７は第５実施形態を示し、複数の皮膚伸ばし片３の基部内面にそれぞれヒンジ部１４を形成するための円弧状に湾曲した凹溝１５が形成されている。また、押圧面１１ａにマッサージ用の凸部３６が複数形成されている。その他の点は第１実施形態の場合と同様の構成である。
この実施形態の場合、押圧面１１ａを皮膚９に押圧した際にマッサージ用の凸部３６で皮膚９を押してより強くマッサージしながら塗布剤４を塗布することができる。また、押圧面１１ａを皮膚９に押圧したときに、２点鎖線で示す如く押圧面１１ａの外周部から複数の皮膚伸ばし片３の基部内面に亘って段差のない連続した接当面１７ａがなだらかな曲面として形成され、前記第１実施形態の場合と同様に複数の皮膚伸ばし片３で皮膚９を大きく伸ばすことができる。
【００３０】
なお、第５実施形態では、皮膚伸ばし片３の基部内面に凹溝１５が形成されているが、これに代え、皮膚伸ばし片３の基部外面にヒンジ部１４を形成するための凹溝１５を形成するようにしてもよく、このようにすれば、押圧面１１ａを皮膚９に押圧したときに、押圧面１１ａの外周部から複数の皮膚伸ばし片３の基部内面に亘って段差のない連続した接当面１７ａがフラット面として形成される。
【００３１】
図８は第６実施形態を示し、皮膚伸ばし片３の外端部に皮膚９を引っかけるための三角状の切欠溝３９が形成されている。その他の点は第１実施形態の場合と同様の構成である。
この実施形態の場合、複数の皮膚伸ばし片３を皮膚９に押圧する際に、切欠溝３９で皮膚９を引っ掛けて複数の皮膚伸ばし片３でより確実に伸張して皮膚９の皺を伸ばすことができる。
【００３２】
図９は第７実施形態を示し、嵌合側壁１０の内周に容器２１の吐出頸部２２（口部２４の雄ねじ４０）に螺合する雌ねじ４１が形成されている。ここで、吐出頸部２２は容器２１の口部２４と口部２４に嵌合装着した中栓２５とを備えてなり、中栓２５に吐出口２６が形成されている。従って、嵌合側壁１０は容器２１の口部２４に外嵌するように大径の円筒状に形成され、これに伴い押圧壁１１乃至押圧面１１ａも大径に形成されている。その他の点は第１実施形態の場合と同様の構成である。
【００３３】
この実施形態の場合、キャップを容器２１の口部２４から取り外すことにより、容器２１の口部２４に塗布用具１を螺合して簡単に装着することができる。そして、塗布用具１で皮膚９に塗布剤４を塗布する際に、容器２１の口部２４乃至中栓２５を押圧面１１ａを皮膚９に押圧するためのバックアップ部６として有効に利用することができる。
図１０は第８実施形態を示し、用具本体２に手持ち可能な柄部材４４が一体に形成され、柄部材４４の一端面が前記押圧面１１ａとされている。その他の点は第１実施形態の場合と同様の構成である。この場合、押圧壁１１及び複数の皮膚伸ばし片３よりも柄部材４４を硬質な合成樹脂で２色成形するようにしてもよい。
【００３４】
なお、前記実施形態では、第１実施形態〜第８実施形態までそれぞれ別個独立に構成しているが、第２実施形態と第３実施形態とを組み合わせたり、第２実施形態と第３実施形態と第４実施形態と第５実施形態と第６実施形態とを組み合わせるたりしてもよく、種々の実施形態同士を組み合わせることが考えられる。
また、押圧面１１ａは円形に限定されず、楕円形であってもよいし、三角形、四角形、五角形その他の多角形であってもよい。
【符号の説明】
【００３５】
１      塗布用具
２      用具本体
３      皮膚伸ばし片
４      塗布剤
６      バックアップ部
７      被取付部材
９      皮膚
１０    嵌合側壁
１１    押圧壁
１１ａ  押圧面
１１ｂ  被接当面
１４    ヒンジ部
１５    凹溝
１７ａ  接当面
２１    容器
２２    吐出頸部
２６    吐出口
２９    注出孔
３１    凸条
３６    凸部
３９    切欠溝
４１    雌ねじ
【図１】
2012239824.tif 000003
【図２】
2012239824.tif 000004
【図３】
2012239824.tif 000005
【図４】
2012239824.tif 000006
【図５】
2012239824.tif 000007
【図６】
2012239824.tif 000008
【図７】
2012239824.tif 000009
【図８】
2012239824.tif 000010
【図９】
2012239824.tif 000011
【図１０】
2012239824.tif 000012
【手続補正書】
【提出日】平成23年10月18日(2011.10.18)
【手続補正１】
【補正対象書類名】明細書
【補正対象項目名】全文
【補正方法】変更
【補正の内容】
【発明の詳細な説明】
【技術分野】
【０００１】
本発明は、化粧用クリーム等の塗布剤を皮膚の奥部まで塗り込むための塗布用具に関するものである。
【背景技術】
【０００２】
塗布用具により皮膚に化粧用クリーム等の塗布剤を塗布する場合、皮膚の皺を広げるための手と塗布剤を塗り込むための手が必要であった。この方法では必ず両手が必要であり、手間が掛かる、滑るといった問題があり、塗布剤を皮膚の奥部まで塗り込むことが困難であった。
そこで、皮膚引き延ばし手段で皮膚を引き伸ばしながら一定量の薬剤を射出するようにした従来のジェット式注入デバイスとして、皮膚引き伸ばしユニットの本体部外面に、皮膚と係合する複数の指状突起部材を突出したものがあり（例えば引用文献１）、これを使用して化粧用クリーム等の塗布剤を皮膚の奥部まで塗り込むようにすることが考えられる。
【０００３】
また、治療面にある容量の液体を塗布するための従来の拡散器具として、基部の外周部に治療面と係合する弾性変形可能な山形壁を一体に形成したものがあり（例えば引用文献２）、これを使用して化粧用クリーム等の塗布剤を皮膚の奥部まで塗り込むようにすることが考えられる。
【先行技術文献】
【特許文献】
【０００４】
【特許文献１】特表２００７−５１４４８９号公報
【特許文献２】特表２０１０−５１５４９０号公報
【発明の概要】
【発明が解決しようとする課題】
【０００５】
しかし、従来の前者の場合は、複数の指状突起部材が本体部外面の外周端部よりも内方側に突出されており、指状突起部材を皮膚に押し付けて皮膚を引き延ばしたときには、本体部外面に複数の指状突起部材が重合して、本体部外面と指状突起部材の基部との間には大きな段差が生じてしまい、本体部外面から複数の指状突起部材の基部にわたって皮膚に対して略フラットな面で押し当てることができず、この従来のジェット式注入デバイスの皮膚引き延ばし手段部分を塗布用具に使用しても、塗布部分周辺の皮膚の皺を伸ばしながらクリームの塗布剤を皮膚の奥部まで塗り込むことはできなかった。
【０００６】
従来の後者の場合、山形壁は可撓性に富む膜から形成されたものであり、皮膚上に液体を広げる作用をするのみで、これを皮膚に押し当てても皮膚の皺を伸ばすことができず、この拡散器具を使用しても塗布部分周辺の皺を伸ばしながらクリーム等の塗布剤を皮膚の奥部まで塗り込むことはできなかった。
本発明は上記問題点に鑑み、皮膚に化粧用クリーム等の塗布剤を塗布する場合に、塗布部分周辺の皮膚の皺を伸ばしながら、化粧用クリーム等の塗布剤を皮膚の奥部まで塗り込むことが容易になし得る塗布用具を提供することを目的としている。
【課題を解決するための手段】
【０００７】
本発明における課題解決のための具体的手段は、次の通りである。
この技術的課題を解決する本発明の技術的手段は、用具本体２の頂部に皮膚９に押圧する押圧面１１ａが形成され、押圧面１１ａの外周部の周方向に複数の皮膚伸ばし片３が起立状に突設され、複数の皮膚伸ばし片３は押圧面１１ａの周方向に互いに離間しかつ先広がり状に互いに傾斜して押圧面１１ａから突出され、押圧面１１ａを皮膚９に押圧したときに押圧面１１ａの中央部から複数の皮膚伸ばし片３の基部内面に亘って段差のない連続した接当面１７ａが形成されるように、押圧面１１ａの外周縁部に前記複数の皮膚伸ばし片３がそれぞれ薄肉のヒンジ部１４を介して連結されると共に押圧面１１ａが開口孔や凹凸のない平滑面に形成されている点にある。
【０００８】
また、本発明の他の技術的手段は、用具本体２の頂部側外周に、前記ヒンジ部１４を形成するための凹溝１５が形成されて、押圧面１１ａを皮膚９に押圧したときに、複数の皮膚伸ばし片３の基部が凹溝１５に逃げることにより、複数の皮膚伸ばし片３が押圧面１１ａの外周部から径方向外方に広がって、複数の皮膚伸ばし片３の内面が押圧面１１ａと面一になるように構成されている点にある。
【０００９】
また、本発明の他の技術的手段は、用具本体２は、押圧面１１ａを皮膚９に押圧するためのバックアップ部６を有する被取付部材７に装着可能とされていてバックアップ部６に嵌合される筒状の嵌合側壁１０と嵌合側壁１０の頂部側を閉塞する押圧壁１１とが具備され、押圧壁１１の表面が前記押圧面１１ａとされ、押圧壁１１の裏面が前記バックアップ部６が接当する被接当面１１ｂとされている点にある。
【００１０】
また、本発明の他の技術的手段は、嵌合側壁１０が塗布剤４を収納する容器２１の吐出頸部２２に嵌合装着されて、容器２１が被取付部材７とされると共に吐出頸部２２が被取付部材７のバックアップ部６とされ、押圧壁１１に吐出頸部２２の吐出口２６に対応する注出孔２９が設けられている点にある。
また、本発明の他の技術的手段は、前記注出孔２９は押圧壁１１に形成した切り込み３０から成る逆止弁構造とされている点にある。
【００１１】
また、本発明の他の技術的手段は、嵌合側壁１０の内周に容器２１の吐出頸部２２に螺合する雌ねじ４１が形成されている点にある。
また、本発明の他の技術的手段は、押圧面１１ａが凸面状に膨出されている点にある。
また、本発明の他の技術的手段は、嵌合側壁１０が手持ち可能な柄部材の一端部に嵌合装着されて、柄部材が被取付部材７とされ、柄部材の一端部がバックアップ部６とされている点にある。
【００１２】
また、本発明の他の技術的手段は、用具本体２に手持ち可能な柄部材が一体に形成され、柄部材の一端面が前記押圧面１１ａとされている点にある。
また、本発明の他の技術的手段は、前記皮膚伸ばし片３の内面に滑り止め用の凸条３１が形成されている点にある。
また、本発明の他の技術的手段は、前記複数の皮膚伸ばし片３は周方向に等間隔をおいて３本形成されている点にある。
【００１３】
また、本発明の他の技術的手段は、前記皮膚伸ばし片３の外端部に皮膚９を引っかけるための切欠溝３９が形成されている点にある。
【発明の効果】
【００１４】
本発明によれば、押圧面の外周縁部に複数の皮膚伸ばし片がそれぞれ薄肉のヒンジ部を介して連結されており、押圧面を皮膚に押圧したときに押圧面の外周部から複数の皮膚伸ばし片の基部内面に亘って段差のない連続した接当面が形成されるので、皮膚に化粧用クリーム等の塗布剤を塗布する場合に、塗布部分周辺の皮膚の皺を伸ばしながら、化粧用クリーム等の塗布剤を皮膚の奥部まで塗り込むことが容易になし得る。
【図面の簡単な説明】
【００１５】
【図１】本発明の第１実施形態を示す塗布用具の拡大正面断面図で、図１（ａ）は皮膚伸ばし片を皮膚に押圧する前の断面図、図１（ｂ）は皮膚伸ばし片を皮膚に押圧した後の断面図、図１（ｃ）は押圧面を皮膚に押圧した後の断面図である。
【図２】同塗布用具の拡大斜視図である。
【図３】第２実施形態を示す塗布用具の拡大平面図である。
【図４】同塗布用具を容器に装着した状態の拡大正面断面図で、図４（ａ）は塗布剤を押圧面に注出する前の断面図、図４（ａ）は塗布剤を押圧面に注出した後の断面図である。
【図５】第３実施形態を示す塗布用具の拡大斜視図である。
【図６】第４実施形態を示す塗布用具を柄部材に装着した状態の拡大正面断面図である。
【図７】本願発明との比較例を示す塗布用具を柄部材に装着した状態の拡大正面断面図である。
【図８】第５実施形態を示す塗布用具の拡大斜視図である。
【図９】第６実施形態を示す塗布用具を容器に装着した状態の拡大正面断面図である。
【図１０】第７実施形態を示す塗布用具の拡大正面断面図である。
【発明を実施するための形態】
【００１６】
以下、本発明の実施の形態を図面に基づいて説明する。
図１〜図２は第１実施形態を示している。図１〜図２において、塗布用具１は、化粧用クリームや薬用クリームその他液状又は粉状の化粧品等の塗布剤４を皮膚９に塗布するためのもので、用具本体２と複数の皮膚伸ばし片３とを備え、シリコン樹脂等の弾性を有する比較的柔らかい合成樹脂により一体成形され、用具本体２の頂部に皮膚９に押圧する押圧面１１ａが形成されている。
【００１７】
用具本体２は、押圧面１１ａを皮膚９に押圧するためのバックアップ部６を有する被取付部材７に装着可能とされていて、バックアップ部６に嵌合される円筒状の嵌合側壁１０と嵌合側壁１０の頂部側を閉塞する円板状の押圧壁１１とが具備されている。押圧壁１１の表面が円形の押圧面１１ａとされ、押圧壁１１の裏面がバックアップ部６が接当する被接当面１１ｂとされている。本実施形態の場合、嵌合側壁１０が手持ち可能な柄部材の一端部に嵌合装着されて、柄部材が被取付部材７とされ、柄部材の一端部がバックアップ部６とされている。
【００１８】
嵌合側壁１０の下端部には内方突出した環状の係合部１２が形成され、係合部１２は被取付部材７のバックアップ部６下方の括れ部１３に係合されている。
前記複数の皮膚伸ばし片３は押圧面１１ａの外周部の周方向に起立状に突設され、押圧面１１ａの周方向に互いに離間しかつ先広がり状に互いに傾斜して押圧面１１ａから突出され、本実施形態では、皮膚伸ばし片３は周方向に等間隔をおいて３本形成されている。押圧面１１ａの外周縁部に複数の皮膚伸ばし片３がそれぞれ薄肉のヒンジ部１４を介して連結され、嵌合側壁１０の頂部外周に、ヒンジ部１４を形成するための凹溝１５が環状に形成されている。なお、凹溝１５は嵌合側壁１０の頂部外周に環状に形成されていなくてもよく、複数の皮膚伸ばし片３に対応してそれぞれ別個に形成してもよい。
【００１９】
従って、複数の皮膚伸ばし片３は、互いに独立していてそれぞれヒンジ部１４を介して嵌合側壁１０の頂部及び押圧壁１１の外周縁部に連結されており、複数の皮膚伸ばし片３を皮膚９に押圧したときに、複数の皮膚伸ばし片３はその基端内縁部からそれぞれヒンジ部１４を介して嵌合側壁１０の径外方向に大きく広がり、押圧面１１ａを皮膚９に押圧したときに、図１（ｃ）に示す如く押圧面１１ａから複数の皮膚伸ばし片３の内面に亘って皮膚９に接当する接当面１７ａが形成され、この接当面１７ａは押圧面１１ａ全体から複数の皮膚伸ばし片３の内面全体に亘って段差のない連続した面一なフラット面となる。
【００２０】
前記実施形態では、塗布用具１により皮膚９に化粧用クリーム等の塗布剤４を塗布する場合、図１（ａ）に示す如く塗布剤４の収納容器等から押圧壁１１の押圧面１１ａに塗布剤４を注出した後、図１（ｂ）に示す如く複数の皮膚伸ばし片３を皮膚９に押圧し、さらに図１（ｃ）に示す如く押圧面１１ａを皮膚９に押圧し、この押圧動作を繰り返せばよい。
【００２１】
複数の皮膚伸ばし片３を皮膚９に押圧したときに、複数の皮膚伸ばし片３はその基端内縁部からそれぞれヒンジ部１４を介して嵌合側壁１０の径外方向に大きく広がり、複数の皮膚伸ばし片３で皮膚９を外方に放射状に引っ張って、皮膚９の皺を外側に大きく伸ばし、その後に、押圧面１１ａが皮膚９に押圧して、伸びきった皮膚９の中央部に塗布剤４が塗布され、皮膚９の奥部に塗布剤４をすり込むように浸透させることができる。
【００２２】
従って、皮膚９に化粧用クリーム等の塗布剤４を塗布する場合に、塗布部分周辺の皮膚９の皺を伸ばしながら、化粧用クリーム等の塗布剤４を皮膚９の奥部まで塗り込むことが容易になし得る。また、複数の皮膚伸ばし片３及び押圧面１１ａを皮膚９に押圧して、それらを皮膚９から離間させる動作を繰り返すことにより、皮膚９の奥部へ塗布剤４をすり込むと共に、塗布部分のマッサージ効果が得られる。
【００２３】
図３〜図４は第２実施形態を示している。図３〜図４に示すように、嵌合側壁１０が塗布剤４を収納する容器２１の吐出頸部２２に嵌合装着されて、容器２１が被取付部材７とされると共に吐出頸部２２が被取付部材７のバックアップ部６とされている。ここで、容器２１は化粧用クリームや薬用クリームその他液状又は粉状の化粧品等の塗布剤４を収納する収納容器であり、容器２１の口部２４に中栓２５が嵌合装着され、この中栓２５に吐出口２６を有する吐出頸部２２が上方突設されている。押圧壁１１に吐出頸部２２の吐出口２６に対応する注出孔２９が設けられている。この注出孔２９は押圧壁１１に形成した十字状の切り込み３０から成る逆止弁構造とされている。その他の点は前記第１実施形態と同様の構成である。
【００２４】
この実施形態の場合、前記第１実施形態と同様に塗布部分周辺の皮膚９の皺を伸ばしながら、化粧用クリーム等の塗布剤４を皮膚９の奥部まで塗り込むことが容易になし得る。また、容器２１内から吐出頸部２２の吐出口２６及び押圧壁１１の注出孔２９を通して塗布剤４を押圧面１１ａ上に注出することができ、指等を塗布剤４で汚すこともなくなる。しかも、注出孔２９が逆止弁構造になっているため、押圧面１１ａ上に注出した塗布剤４が逆流して容器２１内に戻るのを防ぐことができ、衛生的である。
【００２５】
図５は第３実施形態を示し、皮膚伸ばし片３の内面に滑り止め用の凸条３１が幅方向に形成され、この滑り止め用の凸条３１は皮膚伸ばし片３の突出方向に間隔をおいて複数設けられている。その他の点は第１実施形態の場合と同様の構成であり、押圧面１１ａを皮膚９に押圧したときに押圧面１１ａから複数の皮膚伸ばし片３の基部内面に亘って段差のない連続した接当面１７ａ（図１（ｃ）参照）が形成される。
【００２６】
この実施形態の場合、滑り止め用の凸条３１によって皮膚９に対して皮膚伸ばし片３が滑るのを防いで皮膚９を放射状により確実に伸ばすことができる。
図６は第４実施形態を示し、押圧壁１１及び押圧面１１ａが凸面状に膨出され、押圧壁１１とバックアップ部６の端面との間に空隙３４が形成されている。その他の点は第１実施形態の場合と同様の構成である。
【００２７】
この実施形態の場合、前記第１実施形態の場合と同様に、複数の皮膚伸ばし片３を皮膚９に押圧したときに、複数の皮膚伸ばし片３は嵌合側壁１０の径外方向に大きく広がり、押圧面１１ａが皮膚９に押圧したときに、押圧面１１ａから複数の皮膚伸ばし片３の内面に亘って皮膚９に接当する接当面１７ａが形成され、この接当面１７ａは押圧面１１ａ全体から複数の皮膚伸ばし片３の内面全体に亘って段差のない連続した面一なフラット面となる。そして、押圧壁１１乃至押圧面１１ａでゆっくりソフトに皮膚９を押圧しながら塗布剤４を塗布することができる。
【００２８】
なお、前記第４実施形態では、押圧壁１１とバックアップ部６の端面との間に空隙３４が形成されているが、これに代え、押圧壁１１を外周から中央部に向かうに従って徐々に肉厚が大きくなるように形成して押圧面１１ａを凸面状に膨出したままで押圧壁１１とバックアップ部６との間の空隙３４をなくするようにしてもよい。この場合には、押圧面１１ａを皮膚９に押圧したときに、押圧面１１ａはある程度凸面状に膨出した状態を保つが、押圧面１１ａの外周部から複数の皮膚伸ばし片３の内面に亘って段差のない連続した接当面１７ａが形成され、押圧面１１ａを皮膚９に押圧する動作を繰り返すことにより、皮膚９の奥部へ塗布剤４をすり込むと共に、塗布部分のマッサージ効果が得られる。
【００２９】
図７は本願発明との比較例を示し、複数の皮膚伸ばし片３の基部内面にそれぞれヒンジ部１４を形成するための円弧状に湾曲した凹溝１５が形成されている。また、押圧面１１ａにマッサージ用の凸部３６が複数形成されている。その他の点は第１実施形態の場合と同様の構成である。
この場合、押圧面１１ａを皮膚９に押圧した際にマッサージ用の凸部３６で皮膚９を押してより強くマッサージしながら塗布剤４を塗布することができる。また、押圧面１１ａを皮膚９に押圧したときに、２点鎖線で示す如く押圧面１１ａの外周部から複数の皮膚伸ばし片３の基部内面に亘って段差のない連続した接当面１７ａがなだらかな曲面として形成される。
【００３０】
なお、図７の比較例では、皮膚伸ばし片３の基部内面に凹溝１５が形成されているが、これに代え、皮膚伸ばし片３の基部外面にヒンジ部１４を形成するための凹溝１５を形成するようにしてもよく、このようにすれば、押圧面１１ａを皮膚９に押圧したときに、押圧面１１ａの外周部から複数の皮膚伸ばし片３の基部内面に亘って段差のない連続した接当面１７ａがフラット面として形成される。
【００３１】
図８は第５実施形態を示し、皮膚伸ばし片３の外端部に皮膚９を引っかけるための三角状の切欠溝３９が形成されている。その他の点は第１実施形態の場合と同様の構成である。
この実施形態の場合、複数の皮膚伸ばし片３を皮膚９に押圧する際に、切欠溝３９で皮膚９を引っ掛けて複数の皮膚伸ばし片３でより確実に伸張して皮膚９の皺を伸ばすことができる。
【００３２】
図９は第６実施形態を示し、嵌合側壁１０の内周に容器２１の吐出頸部２２（口部２４の雄ねじ４０）に螺合する雌ねじ４１が形成されている。ここで、吐出頸部２２は容器２１の口部２４と口部２４に嵌合装着した中栓２５とを備えてなり、中栓２５に吐出口２６が形成されている。従って、嵌合側壁１０は容器２１の口部２４に外嵌するように大径の円筒状に形成され、これに伴い押圧壁１１乃至押圧面１１ａも大径に形成されている。その他の点は第１実施形態の場合と同様の構成である。
【００３３】
この実施形態の場合、キャップを容器２１の口部２４から取り外すことにより、容器２１の口部２４に塗布用具１を螺合して簡単に装着することができる。そして、塗布用具１で皮膚９に塗布剤４を塗布する際に、容器２１の口部２４乃至中栓２５を押圧面１１ａを皮膚９に押圧するためのバックアップ部６として有効に利用することができる。
図１０は第７実施形態を示し、用具本体２に手持ち可能な柄部材４４が一体に形成され、柄部材４４の一端面が前記押圧面１１ａとされている。その他の点は第１実施形態の場合と同様の構成である。この場合、押圧壁１１及び複数の皮膚伸ばし片３よりも柄部材４４を硬質な合成樹脂で２色成形するようにしてもよい。
【００３４】
なお、前記実施形態では、第１実施形態〜第７実施形態までそれぞれ別個独立に構成しているが、第２実施形態と第３実施形態とを組み合わせたり、第２実施形態と第３実施形態と第４実施形態と第５実施形態と第６実施形態とを組み合わせるたりしてもよく、種々の実施形態同士を組み合わせることが考えられる。
また、押圧面１１ａは円形に限定されず、楕円形であってもよいし、三角形、四角形、五角形その他の多角形であってもよい。
【符号の説明】
【００３５】
１      塗布用具
２      用具本体
３      皮膚伸ばし片
４      塗布剤
６      バックアップ部
７      被取付部材
９      皮膚
１０    嵌合側壁
１１    押圧壁
１１ａ  押圧面
１１ｂ  被接当面  
１４    ヒンジ部
１５    凹溝
１７ａ  接当面
２１    容器
２２    吐出頸部
２６    吐出口
２９    注出孔
３１    凸条
３６    凸部
３９    切欠溝
４１    雌ねじ
【手続補正２】
【補正対象書類名】特許請求の範囲
【補正対象項目名】全文
【補正方法】変更
【補正の内容】
【特許請求の範囲】
【請求項１】
用具本体（２）の頂部に皮膚（９）に押圧する押圧面（１１ａ）が形成され、押圧面（１１ａ）の外周部の周方向に複数の皮膚伸ばし片（３）が起立状に突設され、複数の皮膚伸ばし片（３）は押圧面（１１ａ）の周方向に互いに離間しかつ先広がり状に互いに傾斜して押圧面（１１ａ）から突出され、押圧面（１１ａ）を皮膚（９）に押圧したときに押圧面（１１ａ）の中央部から複数の皮膚伸ばし片（３）の基部内面に亘って段差のない連続した接当面（１７ａ）が形成されるように、押圧面（１１ａ）の外周縁部に前記複数の皮膚伸ばし片（３）がそれぞれ薄肉のヒンジ部（１４）を介して連結されると共に押圧面（１１ａ）が開口孔や凹凸のない平滑面に形成されていることを特徴とする塗布用具。
【請求項２】
用具本体（２）の頂部側外周に、前記ヒンジ部（１４）を形成するための凹溝（１５）が形成されて、押圧面（１１ａ）を皮膚（９）に押圧したときに、複数の皮膚伸ばし片（３）の基部が凹溝（１５）に逃げることにより、複数の皮膚伸ばし片（３）が押圧面（１１ａ）の外周部から径方向外方に広がって、複数の皮膚伸ばし片（３）の内面が押圧面（１１ａ）と面一になるように構成されていることを特徴とする請求項１に記載の塗布用具。
【請求項３】
用具本体（２）は、押圧面（１１ａ）を皮膚（９）に押圧するためのバックアップ部（６）を有する被取付部材（７）に装着可能とされていてバックアップ部（６）に嵌合される筒状の嵌合側壁（１０）と嵌合側壁（１０）の頂部側を閉塞する押圧壁（１１）とが具備され、押圧壁（１１）の表面が前記押圧面（１１ａ）とされ、押圧壁（１１）の裏面が前記バックアップ部（６）が接当する被接当面（１１ｂ）とされていることを特徴とする請求項１又は２に記載の塗布用具。
【請求項４】
嵌合側壁（１０）が塗布剤（４）を収納する容器（２１）の吐出頸部（２２）に嵌合装着されて、容器（２１）が被取付部材（７）とされると共に吐出頸部（２２）が被取付部材（７）のバックアップ部（６）とされ、押圧壁（１１）に吐出頸部（２２）の吐出口（２６）に対応する注出孔（２９）が設けられていることを特徴とする請求項３に記載の塗布用具。
【請求項５】
前記注出孔（２９）は押圧壁（１１）に形成した切り込み（３０）から成る逆止弁構造とされていることを特徴とする請求項４に記載の塗布用具。
【請求項６】
嵌合側壁（１０）の内周に容器（２１）の吐出頸部（２２）に螺合する雌ねじ（４１）が形成されていることを特徴とする請求項３〜５のいずれかに記載の塗布用具。
【請求項７】
押圧面（１１ａ）が凸面状に膨出されていることを特徴とする請求項１〜６のいずれかに記載の塗布用具。
【請求項８】
嵌合側壁（１０）が手持ち可能な柄部材の一端部に嵌合装着されて、柄部材が被取付部材（７）とされ、柄部材の一端部がバックアップ部（６）とされていることを特徴とする請求項３に記載の塗布用具。
【請求項９】
用具本体（２）に手持ち可能な柄部材が一体に形成され、柄部材の一端面が前記押圧面（１１ａ）とされていることを特徴とする請求項１又は２に記載の塗布用具。
【請求項１０】
前記皮膚伸ばし片（３）の内面に滑り止め用の凸条（３１）が形成されていることを特徴とする請求項１〜９のいずれかに記載の塗布用具。
【請求項１１】
前記複数の皮膚伸ばし片（３）は周方向に等間隔をおいて３本形成されていることを特徴とする請求項１〜１０のいずれかに記載の塗布用具。
【請求項１２】
前記皮膚伸ばし片（３）の外端部に皮膚（９）を引っかけるための切欠溝（３９）が形成されていることを特徴とする請求項１〜１１のいずれかに記載の塗布用具。